(57)【要約】【課題】      検査ステージの交換をすることなく、異なる大きさの表示用パネルの検査を可能にすることにある。【解決手段】  電気的接続装置は、表示用パネルの検査に用いられる。そのような電気的接続装置は、板状をした４つの第１のベースであって矩形の第１の開口を共同して形成するように検査ステージに配置される第１のベースと、少なくとも２つの隣り合う第１のベースの厚さ方向における一方側に取り付けられた複数の接触子ユニットとを含む。各第１のベースは、表示用パネルを受けるパネル受けであって前記第１の開口を共同して形成するパネル受けを備える。【選択図】          図１
2006138634.tif 000002
【特許請求の範囲】
【請求項１】
板状をした４つの第１のベースであって矩形の第１の開口を共同して形成するように検査ステージに配置される第１のベースと、少なくとも２つの隣り合う第１のベースの厚さ方向における一方側に取り付けられた複数の接触子ユニットとを含み、
各第１のベースは、表示用パネルを受けるパネル受けであって前記第１の開口を共同して形成するパネル受けを備える、表示用パネルの検査装置に用いられる電気的接続装置。
【請求項２】
さらに、前記第１のベースを前記検査ステージに取り付けるべく前記第１のベースがこれの厚さ方向における他方側において取り付けられた板状の第２のベースであって前記第１の開口に連通する第２の開口を中央に有する第２のベースを含む、請求項１に記載の電気的接続装置。
【請求項３】
前記パネル受けは、前記第１の開口を共同して形成する縁部を有する、請求項１及び２のいずれか１項に記載の電気的接続装置。
【請求項４】
さらに、前記第１の開口を閉鎖するように前記パネル受けに取り付けられた光拡散板を含む、請求項１から３のいずれか１項に記載の電気的接続装置。
【請求項５】
さらに、前記パネル受けに受けられた表示用パネルの縁部が当接可能に隣り合う２つの第１のベースに配置された複数のストッパピンと、前記パネル受けに受けられた表示用パネルを前記ストッパピンに向けて押圧するように、隣り合う他の２つの第１のベースに配置された複数のプッシャーとを含む、請求項１から４のいずれか１項に記載の電気的接続装置。
【請求項６】
各パネル受けはこれの前記縁部の方向に伸びており、各ストッパピンは対応する第１のベースの前記パネル受けに配置されている、請求項５に記載の電気的接続装置。
【請求項７】
少なくとも２つの前記ストッパピンが前記隣り合う２つの第１のベースのいずれか一方に前記縁部の方向に間隔をおいて配置されており、少なくとも１つの前記ストッパピンが前記隣り合う他の２つの第１のベースの他方に配置されている、請求項６に記載の電気的接続装置。
【請求項８】
前記プッシャーが配置された第１のベースの前記パネル受けは、前記プッシャーの一部を受け入れる凹欠部を有する、請求項５から７のいずれか１項に記載の電気的接続装置。
【請求項９】
さらに、前記第１ベースと前記第２のベースとに挿入されて両者の位置決めをする複数の位置決めピンを含む、請求項２に記載の電気的接続装置。
【請求項１０】
各接触子ユニットは、前記パネル受けに受けられた表示用パネルの電極に開放可能に接触される複数の接触子を有する接触子ブロックを備える、請求項１から９のいずれか１項に記載の電気的接続装置。
【発明の詳細な説明】
【技術分野】
【０００１】
本発明は、液晶表示パネルのような表示用パネルの検査装置に表示用パネルとこれへの通電回路とを接続するために用いられる電気的接続装置に関する。
【背景技術】
【０００２】
液晶表示パネルのような表示用パネルを検査する装置の１つとして、複数の接触子ユニット（すなわち、プローブユニット）を、表示用パネルを受けて移動させる検査ステージに取り付けたものがある（特許文献１）。
【０００３】
【特許文献１】特開２００２−３５０４８５号公報
【０００４】
複数の接触子ユニットは、それら全体で、表示用パネルをこれへの通電回路に接続するための電気的接続装置として作用する。
【０００５】
各接触子ユニットは、表示用基板の電極に接触される複数のプローブすなわち接触子を備えた接触子ブロックを支持ブロックに支持させており、また表示用パネルを受けて移動させる検査ステージに支持ブロックにおいて取り付けられている。
【０００６】
検査ステージは、表示用パネルをパネル受け部に受けるチャックトップのようなパネル受け部材をステージ本体の上部に取り付けている。接触子ユニットは、パネル受け部材に取り付けられている。検査ステージは、パネル受け部材をステージ本体により、少なくとも三次元的に移動させる。
【０００７】
しかし、上記従来の検査装置では、パネル受け部材のパネル受け部の大きさが不変であるから、検査可能のパネルの大きさがパネル受け及び接触子ユニットによって決定され、したがって大きさが異なる表示用パネルの検査に適用することができない。
【０００８】
上記の結果、従来の検査装置では、パネル受け部を検査ステージに設けていることと相まって、大きさが異なる表示用パネルの検査をするときは、接触子ユニット及び検査ステージの両者の交換をしなければならないし、その作業が繁雑である。
【発明の開示】
【発明が解決しようとする課題】
【０００９】
本発明の目的は、検査ステージの交換をすることなく、異なる大きさの表示用パネルの検査を可能にすることにある。
【課題を解決するための手段】
【００１０】
本発明に係る電気的接続装置は、表示用パネルの検査に用いられる。そのような電気的接続装置は、板状をした４つの第１のベースであって矩形の第１の開口を共同して形成するように検査ステージに配置される第１のベースと、少なくとも２つの隣り合う第１のベースの厚さ方向における一方側に取り付けられた複数の接触子ユニットとを含む。各第１のベースは、表示用パネルを受けるパネル受けであって前記第１の開口を共同して形成するパネル受けを備える。
【発明の効果】
【００１１】
本発明に係る上記電気的接続装置は、各第１のベースが、表示用パネルを受けるパネル受けを備えるから、検査ステージに取り付けられた状態において、検査すべき表示用パネルを第１のベースに備えられたパネル受けに受ける。
【００１２】
このため、本発明によれば、隣り合う２つの第１のベースのそれぞれに接触子ユニットが取り付けられていることと相まって、検査すべき表示用パネルを大きさにおいて異なる他の表示用基板に変更するときは、電気的接続装置を新たな表示用パネルに適合するものに変更するだけでよい。したがって、検査ステージを交換することなく、異なる大きさの表示用パネルの検査が可能になる。また、パネル受け部材を検査ステージに備える必要がない。
【００１３】
電気的接続装置は、さらに、前記第１のベースを前記検査ステージに取り付けるべく前記第１のベースがこれらの厚さ方向における他方側において取り付けられた板状の第２のベースであって前記第１の開口に連通する第２の開口を中央に有する第２のベースを含むことができる。そのようにすれば、第１のベースを第２のベースに予め取り付けて電気的接続装置を組み立ておき、大きさが異なる表示児用パネルを検査するときは、電気的接続装置を組み立てられた状態で交換するだけでよいから、交換作業がより容易になる。
【００１４】
前記パネル受けは、前記第１の開口を共同して形成する縁部を有することができる。
【００１５】
電気的接続装置は、さらに、前記第１の開口を閉鎖するように前記パネル受けに取り付けられた光拡散板を含むことができる。そのようにすれば、検査すべき表示用パネルが光拡散板の近くに受けられるから、光拡散板で拡散された光が表示用パネルに効果的に照射される。
【００１６】
電気的接続装置は、さらに、前記パネル受けに受けられた表示用パネルの縁部が当接可能に隣り合う２つの第１のベースに配置された複数のストッパピンと、前記パネル受けに受けられた表示用パネルを前記ストッパピンに向けて押圧するように、隣り合う他の２つの第１のベースに配置された複数のプッシャーとを含むことができる。そのようにすれば、パネル受けに受けられた表示用パネルが電気的接続装置に対し、容易に位置決められる。
【００１７】
各パネル受けはこれの前記縁部の方向に伸びており、各ストッパピンは対応する第１のベースの前記パネル受けに配置されていてもよい。
【００１８】
少なくとも２つの前記ストッパピンが前記隣り合う２つの第１のベースのいずれか一方に前記縁部の方向に間隔をおいて配置されており、少なくとも１つの前記ストッパピンが前記隣り合う他の２つの第１のベースの他方に配置されていてもよい。
【００１９】
前記プッシャーが配置された第１のベースの前記パネル受けは、前記プッシャーの一部を受け入れる凹欠部を有することができる。
【００２０】
電気的接続装置は、さらに、前記第１ベースと前記第２のベースとに挿入されて両者の位置決めをする複数の位置決めピンを含むことができる。
【００２１】
各接触子ユニットは、前記パネル受けに受けられた表示用パネルの電極に開放可能に接触される複数の接触子を有する接触子ブロックを備えることができる。
【発明を実施するための最良の形態】
【００２２】
以下の説明においては、板状の取り付けベースの厚さ方向を上下方向又はＺ方向といい、取り付けベースに対する接触子の針先の側（表示用パネルの側）を下方といい、取り付けベースに平行な水平の直角座標における２つの方向をＸ方向及びＹ方向という。しかし、電気的接続装置の実際の使用に際しては、取り付けベースの厚さ方向を斜め又は横の方向としてもよいし、上下方向を逆にして使用してもよい。
【００２３】
図１〜図４を参照するに、電気的接続装置１０は、表示用パネル１２を通電回路に接続して、点灯検査のような通電試験をする検査装置に用いられる。
【００２４】
表示用パネル１２は、矩形の形状を有しており、また矩形の各辺のいくつかに対応する縁部の各々に複数の電極を備える。図示の例では、表示用パネル１２は、液晶を封入した液晶表示パネルであり、また隣り合う２つの縁部の各々に複数の電極を対応する縁部の長手方向に間隔をおいて有している。
【００２５】
検査装置は、図示しない筐体フレームに取り付けられた検査ステージ１４を含む。検査ステージ１４は、支持台１６をステージ本体１８の上に取り付け、支持台１６にバックライトユニット２０を配置している。
【００２６】
支持台１６は、矩形の板の形状を有する支持ベース２２と矩形の板の形状を有する受けベース２４とを、これらが上下方向に間隔をおいて平行する状態に、複数の支柱２６により組み付けている。
【００２７】
受けベース２４は、これの中央領域を厚さ方向に貫通する開口２８により、枠状に形成されている。これにより、開口２８を介して上方に開放する空間が支持台１６に形成されている。
【００２８】
ステージ本体１８は、支持台１６を、Ｘ、Ｙ及びＺの三方向に（三次元的に）変位させると共に、Ｚ方向に伸びるθ軸線の周りに角度的に回転させる。
【００２９】
バックライトユニット２０は、白色電球や白色蛍光灯のような複数のバックライト３０を上方に開放する収納容器３２に収容している（図４参照）。収納容器３２は、支持台１６の上記空間に配置されて、支持ベース２２に取り付けられている。
【００３０】
電気的接続装置１０は、受けベース２４の上に取り付けられる矩形の板状をした取り付けベース３４と、取り付けベース３４の上に矩形に配置された４つのプローブベース３６と、隣り合う２つのプローブベース３６に配置された複数の接触子ユニット３８とを含む。
【００３１】
図４及び図６に示すように、取り付けベース３４は、受けベース２４の開口２８と相似の矩形の開口４０を中央に有している。開口４０は取り付けベース３４の厚さ方向に貫通している。
【００３２】
図１から図４に示すように、プローブベース３６は、長い板の形状を有しており、また表示用パネル１２を受けるパネル受け４２を上部に備えている。パネル受け４２は、矩形の断面形状を有するいわゆる角柱状をした長尺部材の形をしており、また対応するプローブベース３６の幅方向における一端部を対応するプローブベース３６の長手方向に伸びている。
【００３３】
プローブベース３６は、４つのプローブベース及び４つのパネル受け４２が開口４０と対向する開口４４を共同して形成するように、取り付けベース３４に載置されている。開口４４は、開口２８及び４０と相似の矩形の形状を有する。
【００３４】
電気的接続装置として組み立てられた状態において、パネル受け４２の開口４４側の縁部は、開口４４を共同して形成する縁部として作用する。開口２８及び４０は同じ大きさを有するが、開口４４は開口２８及び４０より小さい。
【００３５】
開口４４は、パネル受け４２に支持された光拡散板４６により閉鎖されている。光拡散板４６は、バックライト３０からの光を拡散させて表示用パネル１２の背面に照射する。
【００３６】
電気的接続装置１０は、プローブベース３６及び取り付けベース３４をそれらの上方側から貫通して受けベース２４に螺合された複数のねじ４８により、開口４０及び４４が開口２８と対向するように、受けベース２４の上に取り外し可能に取り付けられている。
【００３７】
電気的接続装置１０と検査ステージ１４とは、受けベース２４、取り付けベース３４及びプローブベース３６に差し込まれた複数の位置決めピン５０により、相対的位置決めをされている。それら位置決めピン５０は、受けベース２４、取り付けベース３４及びプローブベース３６のいずれか１つに固定されている。
【００３８】
隣り合う２つのプローブベース３６のそれぞれは、表示用パネル１２の縁部が当接可能の複数のストッパピン５２を取り付けている。隣り合う他の２つのプローブベース３６のそれぞれは、表示用パネル１２を対向するストッパピン５２に向けて押す１以上のプッシャー５４が取り付けている。
【００３９】
図示の例では、隣り合う２つのプローブベース３６の各パネル受け４２に２つのストッパピン５２がパネル受け４２の長手方向に間隔をおいて取り付けられており、隣り合う他の２つのプローブベース３６のそれぞれに１つのプッシャー５４が取り付けられている。
【００４０】
各ストッパピン５２は、これが対応するパネル受け４２から上方へ突出する状態に、対応するパネル受け４２に取り付けられている。これにより、表示用パネル１２の縁部は、表示用パネル１２がプッシャー５４により押されることにより、ストッパピン５２に当接される。
【００４１】
各プッシャー５４は、図１０（Ａ）、（Ｂ）及び（Ｃ）に示す例では、ソレノイド機構やシリンダ機構のように往復運動をするプッシュ機構５６と、プッシュ機構５６により表示用パネル１２に対して往復移動されるプッシュ片５８とを備えており、プッシュ機構５６においてプローブベース３６に取り付けられている。
【００４２】
プッシュ機構５６は、出力軸５７の移動方向が左右方向となるように、プローブベース３６に取り付けられており、また上下方向へ伸びる支持ピン６１を出力軸５７の先端に取り付け、支持ピン６１の上端にプッシュ片５８を取り付けている。
【００４３】
各プッシャー５４は、プッシュ片５８が表示用パネル１２に向けて前進されることにより、その表示用パネル１２をストッパピン５２に向けて押圧し、それによりストッパピン５２と共同して表示用パネル１２を把持する。
【００４４】
プッシュ片５８が表示用パネル１２に対し後退されると、各プッシャー５４は、ストッパピン５２との共同による表示用パネル１２の把持を解除する。
【００４５】
プッシャー５４が配置されたプローブベース３６のパネル受け４２は、プッシャー５４の先端側の部分を受け入れる凹欠部５９を有している。
【００４６】
凹欠部５９は、往復運動機構の側に開放して上下方向へ伸びる溝であり、またプッシュ片５８が往復運動機構により前進されたとき、支持ピン６１を受け入れる。
【００４７】
プッシャー５４は、プッシュ片５８を正確かつ確実に移動させるガイドを備えていてもよい。また、他のタイプのプッシャーを用いてもよい。
【００４８】
各接触子ユニット３８は、図７から図９に示すように、ねじによりプローブベース３６に取り付けられたベース板６０と、パネル受け４２に対し前進及び後退可能にベース板６０に載置された第１の移動ブロック６２と、パネル受け４２に受けられた表示用パネル１２に対して傾斜する方向へ移動可能に第１の移動ブロック６２に配置された第２の移動ブロック６４と、第２の移動ブロック６４に支持された接触子ブロック６６とを含む。
【００４９】
第１の移動ブロック６２の移動方向はパネル受け４２に受けられた表示用パネル１２と平行の第１の方向であり、第２の移動ブロック６４の移動方向はその表示用パネル１２に対し傾斜して斜め上下方向へ伸びる第２の方向である。
【００５０】
ベース板６０は、これの上にガイドレール６８をこれがＸ又はＹ方向へ伸びる状態に取り付け、ガイド７０をガイドレール６８に滑動可能に嵌合させ、ガイド７０に第１の移動ブロック６２を支持させている。
【００５１】
ベース板６０には、２組のストッパ７４、７６が第１の移動ブロック６２の移動方向に間隔をおいた状態に取り付けられている。ストッパ７４、７６は、図示の例では、ベース板６０に直立に取り付けられており、またストッパ７４、７６の組毎に第１の移動ブロック６２を間にして第１の移動ブロック６２の移動方向と直交する方向に間隔をおいている。
【００５２】
第１の移動ブロック６２は、図示しない駆動機構により、後に説明する接触子７２が表示用パネル１２の電極に接触する前進位置と、接触子７２が表示用パネル１２から離されて後退する待機位置すなわち後退位置とに移動される。
【００５３】
上記のような移動機構として、ジャッキ式の駆動機構、ソレノイド駆動機構等、第１の方向における第１の移動ブロック６２の位置を調整可能のものを用いることができる。
【００５４】
第１の移動ブロック６２は、これが前進位置に前進したときに、ストッパ７４に当接して第１の移動ブロック６２の前進を制限する制限ブロック７８を各側部に備えている。
【００５５】
第２の移動ブロック６４は、これが第１の移動ブロック６２と共に前進したときに、ストッパ７６に当接する２組の回転体８０を備えている。各組の回転体８０は、第２の移動ブロック６４から第１の移動ブロック６２の側方を第２の移動ブロック６４が後退する方向へ伸びるストッパアーム８２の後端部に、水平方向へ伸びる軸線の周りに回転可能に取り付けられている。
【００５６】
第１の移動ブロック６２が前進位置及び後退位置に移動されたことを、それぞれ、ベース板６０に配置されたセンサ（図示せず）で検出してもよい。
【００５７】
第１の移動ブロック６２の先端面（すなわち、パネル受け４２側の面）は、パネル受け４２側ほどパネル受け４２から上方に離れるように、表示用パネル１２に対し傾斜した斜め下向きの傾斜面８４とされている。第１の移動ブロック６２は、傾斜面８４に沿って斜め上下方向に伸びるガイドレール８６を傾斜面８４に取り付けている。
【００５８】
第２の移動ブロック６４は、ガイドレール８６に移動可能に嵌合されたガイド８８により、第１の移動ブロック６２に組み付けられている。ストッパアーム８２は、第２の移動ブロック６４にねじ止めされている。
【００５９】
各組の回転体８０は、ストッパ７６に接触して回転しつつ傾斜面８４の傾斜方向に移動するように、上下方向に間隔をおいている。各回転体８４は、図示の例では、ストッパアーム８２に装着されたローラであるが、ボールのような他の部材であってもよい。
【００６０】
第１の移動ブロック６２は、さらに、傾斜面８４に傾斜面８４と直角に取り付けられた支持部９０と、支持部９０から傾斜面８４と平行に斜め上方に伸びるロッド９２とを備える。
【００６１】
第２の移動ブロック６４は、ロッド９２をこれの上部から受け入れる穴９４を備えており、またロッド９２に配置された圧縮コイルばねのような弾性体９６により、第１の移動ブロック６２から離れるように第２の方向へ付勢されている。
【００６２】
各接触子７２は、ポゴピンタイプ又はスプリングピンタイプのプローブであり、接触子ブロック６６を貫通して伸びている。接触子７２は、表示用パネル１２の電極の配列と同じ配列に配置されており、また接触子ブロック６６に組み付けられた配線基板（図示せず）と、この配線基板に組み付けられたコネクタ（図示せず）と、このコネクタに接続されたフレキシブル印刷配線板（図示せず）とを介して、検査装置の電気回路に電気的に接続される。
【００６３】
接触子７２の先端と表示用パネル１２との平行度や高さ位置は、接触子ユニット３８毎に調整することができる。このため、そのような平行度や高さ位置の調整作業が容易になり、表示用パネル１２と接触子７２との間にコンタクトずれが生じるおそれが低減される。
【００６４】
次に、図１０を参照して、検査装置の動作を説明する。
【００６５】
待機時、第１の移動ブロック６２は、図１０（Ａ）に示すように、パネル受け４２から第１の方向へ離れた待機位置に後退されている。このため、第２の移動ブロック６４は、パネル受け４２上の表示用パネル１２から第１の方向へ後退されていると共に、弾性体９６により斜め上方に付勢されて表示用パネル１２から上方に離されている。
【００６６】
待機状態においては、第１及び第２の移動ブロック６２，６４並びに接触子ブロック７４がパネル受け４２への表示用パネル１２の配置領域から第１の方向へ離されているから、表示用パネル１２をパネル受け４２に対し容易に着脱することができる。
【００６７】
プッシャー２２は、表示用パネル１２をパネル受け４２に対し着脱するとき、プッシュ片５８を、パネル受け４２から第１の方向に離すように、後退させている。
【００６８】
上記状態において、表示用パネル１２がパネル受け４２に載せられると、プッシャー２２は、プッシュ片５８を表示用パネル１２に向けて前進させる。これにより、パネル受け４２上の表示用パネル１２は、ストッパピン５２に押されて、パネル受け４２に対して所定の状態に位置決めされる。このため、パネル受け４２に受けられた表示用パネル１２を電気的接続装置１０に対し容易に位置決めることができる。
【００６９】
プッシャー２２のプッシュ片５８が前進されたとき、プッシャー２２の支持ピン６０はパネル受け４２の凹欠部６２に受け入れられる。このため、パネル受け４２が存在するにもかかわらず、プッシュ片５８の移動範囲は小さくてよい。
【００７０】
検査時、第１の移動ブロック６２が駆動機構３６によりパネル受け４２に向けて前進される。図１０（Ｂ）に示すように、第１の移動ブロック６２の前進の終期に、第２の移動ブロック６４の回転体８０がストッパ７６に接触する。これにより、第２の移動ブロック６４の前進が阻止され、その状態で第１の移動ブロック６２がさらに前進される。
【００７１】
第１の移動ブロック６２のさらなる前進により、第２の移動ブロック６４が弾性体９６の付勢力に抗して第１の移動ブロック６２に対し第２の方向に後退される。このとき、第２の移動ブロック６４は、第１の移動ブロック６２がパネル受け４２に接近すればするほど接触子ブロック６６が表示用パネル１２側に変位するように下降される。このとき、回転体８０は、ストッパ７６に接触して回転しつつ下降する。
【００７２】
図１０（Ｃ）に示すように、第１の移動ブロック６２が前進位置まで前進されると、制限ブロック７８がストッパ７４に当接することにより、停止される。これにより、第２の移動ブロック６４及び接触子ブロック６６は、接触子７２が表示用パネル１２の電極に押圧された状態で、下降を停止される。
【００７３】
上記状態で、表示用パネル１２に通電されて、点灯検査が行われる。検査が終了すると、電気的接続装置１０は、上記と逆に動作して、図１０（Ａ）に示す状態に戻る。この状態において、表示用パネルの１２交換が行われる。
【００７４】
点灯検査時、光拡散板４６がパネル受け４２に取り付けられているから、検査すべき表示用パネル１２が光拡散板４６の近くに受けられ、その結果光拡散板４６で拡散された光が表示用パネル１２に効果的に照射される。
【００７５】
第１の移動ブロック６２の前進終期及び後退開始時、第１の移動ブロック６２の移動路を間にした二組の回転体８０が組毎にストッパ７６の２箇所に接触しつつ回転移動するから、第３の方向への第２の移動ブロック６４の移動が、安定し、円滑になる。
【００７６】
上記のように検査装置１０においては、パネル受け４２を移動させることなく、表示用パネル１２をパネル受け４２に対し着脱することができるし、第１の移動ブロック６２を第１の方向へ移動させるだけで、接触子７２をこれが表示用パネル１２に接触する位置と表示用パネル１２から離れる位置とに変位させることができる。それらの結果、表示用パネル１２をパネル受け４２に対して着脱する時間が短縮する。
【００７７】
検査すべき表示用パネルを大きさにおいて異なる他の表示用パネルに変更するとき、電気的接続装置１０は、新たな表示用パネル１２に適合するものに変更される。したがって、検査ステージ１４を交換することなく、異なる大きさの表示用パネルの検査が可能になる。また、パネル受け４２を検査ステージ１４に備える必要がない。
【００７８】
電気的接続装置１０は、接触子ユニット３８をプローブベース３６に取り付け、プローブベース３６を取り付けベース３４に取り付けて、予め完成した電気的接続装置に組み立ておき、大きさが異なる表示用パネルを検査するときは、電気的接続装置を組み立てられた状態で交換するだけでよいから、交換作業がより容易になる。
【産業上の利用可能性】
【００７９】
本発明は、液晶表示パネルのみならず、それようのガラス基板、有機ＥＬ等、他の表示用パネルの検査に用いる電気的接続装置にも適用することができる。
【００８０】
本発明は、上記実施例に限定されず、その趣旨を逸脱しない限り、種々変更することができる。
【図面の簡単な説明】
【００８１】
【図１】本発明に係る電気的接続装置の一実施例を示す斜視図である。
【図２】図１に示す電気的接続装置の平面図である。
【図３】図１に示す電気的接続装置の正面図である。
【図４】図２における４−４線に沿って得た断面図である。
【図５】図４における部分５の拡大図である。
【図６】取り付けベースの一実施例を示す平面図である。
【図７】接触子ユニットの一実施例を示す斜視図である。
【図８】図７に示す接触子ユニットの平面図である。
【図９】図８における９−９線に沿って得た断面図である。
【図１０】接触子ユニットの動作を説明するための図であって、（Ａ）は第１の移動ブロックが後退位置にあるときの図、（Ｂ）は第１の移動ブロックが前進終了時期及び後退開始時期にあるときの図、（Ｃ）は第１の移動ブロックが前進位置にあるときの図である。
【符号の説明】
【００８２】
１０  電気的接続装置
１２  表示用パネル
１４  検査ステージ
１６  支持台
１８  ステージ本体
２０  バックライトユニット
３４  取り付けベース（第２のベース）
３６  プローブベース（第１のベース）
３８  接触子ユニット
４０、４４  開口
４２  パネル受け
４６  光拡散板
５０  位置決めピン
５２  ストッパピン
５４  プッシャー
５９  凹欠部
６０  ベース板
６２  第１の移動ブロック
６４  第２の移動ブロック
６６  接触子ブロック
６８  ガイドレール
７０  ガイド
７２  接触子
７４、７６  ストッパ
７８  制限ブロック
８０  回転体
８２  ストッパアーム
８４  傾斜面
８６  ガイドレール
８８  ガイド
【図１】
2006138634.tif 000003
【図２】
2006138634.tif 000004
【図３】
2006138634.tif 000005
【図４】
2006138634.tif 000006
【図５】
2006138634.tif 000007
【図６】
2006138634.tif 000008
【図７】
2006138634.tif 000009
【図８】
2006138634.tif 000010
【図９】
2006138634.tif 000011
【図１０】
2006138634.tif 000012